(57)【要約】【課題】写真原稿ＲＧＢデータを用いて作成されたレイアウト画像データを色変換及びＲＩＰ処理して得られる印刷用画像データに基づいて表示される画像から、写真原稿ＲＧＢデータを特定し、写真原稿ＲＧＢデータに関する情報を表示すること、或いは、写真原稿ＲＧＢデータに対する再変換の指示をすることを可能にする。【解決手段】写真原稿ＲＧＢデータ、色変換情報、及び、レイアウト情報を含んで構成されるレイアウト画像データを、色変換手段２４で色変換情報に基づいて色の変換をするとともに、ＲＩＰ処理手段３１でラスターデータ化することにより印刷用画像データとし、表示手段２９に印刷用画像データに基づいて画像を表示させ、表示された画像上の位置の指定を受け、レイアウト情報に基づいて、レイアウト画像データの写真原稿ＲＧＢデータを特定し、特定された写真原稿ＲＧＢデータに付帯されている色変換情報を表示させるようにした。【選択図】図１
2007251877.tif 000002
【特許請求の範囲】
【請求項１】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする画像処理手段と、
表示手段と、
前記表示手段に前記印刷用画像データに基づいて画像を表示させる表示制御手段と、
前記表示された画像上の位置を指定するための位置指定手段と、
前記位置の指定を受けて、前記レイアウト情報に基づいて、前記指定された位置に対応する前記レイアウト画像データの原稿データを特定する画像データ特定手段と、を備え、
前記表示制御手段は、さらに前記特定された原稿データに付帯されている色変換情報を表示させることを特徴とする画像処理装置。
【請求項２】
前記表示制御手段は、前記色変換情報を前記表示された画像上の前記指定された位置の近傍に表示させる請求項１に記載の画像処理装置。
【請求項３】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする画像処理手段と、
表示手段と、
前記表示手段に前記印刷用画像データに基づいて画像を表示させる表示制御手段と、
前記表示された画像上の位置を指定するための位置指定手段と、
前記位置の指定を受けて、前記レイアウト情報に基づいて、前記指定された位置に対応する前記レイアウト画像データの原稿データを特定する画像データ特定手段と、を備え、
前記表示制御手段は、さらに前記特定された原稿データに対する再変換用の色変換情報を含む再変換の指示を入力可能に表示させ、
前記画像処理手段は、前記再変換の指示を受けて、前記再変換用の色変換情報に基づいて前記特定された原稿データの色を示す第１の色情報を第２の色情報に再変換することを特徴とする画像処理装置。
【請求項４】
前記表示制御手段は、前記再変換の指示を前記表示された画像上の前記指定された位置の近傍に表示させる請求項３に記載の画像処理装置。
【請求項５】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする画像処理手段と、
表示手段と、
前記表示手段に前記印刷用画像データに基づいて画像を表示する表示制御手段と、
前記表示された画像上の位置を指定するための位置指定手段と、
前記位置の指定を受けて、前記レイアウト情報に基づいて、前記指定された位置に対応する前記レイアウト画像データの原稿データを特定する画像データ特定手段と、を備え、
前記表示制御手段は、さらに前記特定された原稿データに付帯されている色変換情報を表示させるとともに、前記特定された原稿データに対する再変換用の色変換情報を含む再変換の指示を入力可能に表示させ、
前記画像処理手段は、前記再変換の指示を受けて、前記再変換用の色変換情報に基づいて前記特定された原稿データの色を示す第１の色情報を第２の色情報に再変換することを特徴とする画像処理装置。
【請求項６】
前記表示制御手段は、前記色変換情報及び再変換の指示を前記表示された画像上の前記指定された位置の近傍に入力可能に表示させる請求項５に記載の画像処理装置。
【請求項７】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする段階と、
表示手段に前記印刷用画像データに基づいて画像を表示させる段階と、
前記表示された画像上の位置の指定を受けて、前記レイアウト情報に基づいて、前記指定された位置に対応する前記レイアウト画像データの原稿データを特定する段階と、
前記表示手段にさらに前記特定された原稿データに付帯されている色変換情報を表示させる段階とを含むことを特徴とする画像処理方法。
【請求項８】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする段階と、
表示手段に前記印刷用画像データに基づいて画像を表示させる段階と、
前記表示された画像上の位置の指定を受けて、前記レイアウト情報に基づいて、前記指定された位置に対応する前記レイアウト画像データの原稿データを特定する段階と、
前記表示手段にさらに前記特定された原稿データに対する再変換用の色変換情報を含む再変換の指示を入力可能に表示させる段階と、
前記再変換の指示を受けて、前記再変換用の色変換情報に基づいて前記特定された原稿データの色を示す第１の色情報を第２の色情報に再変換する段階とを含むことを特徴とする画像処理方法。
【請求項９】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、
表示手段に前記印刷用画像データに基づいて画像を表示させる手順と、
前記表示された画像上の位置の指定を受けて、前記レイアウト情報に基づいて、前記指定された位置に対応する前記レイアウト画像データの原稿データを特定する手順と、
前記表示手段にさらに前記特定された原稿データに付帯されている色変換情報を表示させる手順を実行させるためのプログラム。
【請求項１０】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、
表示手段に前記印刷用画像データに基づいて画像を表示させる手順と、
前記表示された画像上の位置の指定を受けて、前記レイアウト情報に基づいて、前記指定された位置に対応する前記レイアウト画像データの原稿データを特定する手順と、
前記表示手段にさらに前記特定された原稿データに対する再変換用の色変換情報を含む再変換の指示を入力可能に表示させる手順と、
前記再変換の指示を受けて、前記再変換用の色変換情報に基づいて前記特定された原稿データの色を示す第１の色情報を第２の色情報に再変換する手順を実行させるためのプログラム。
【請求項１１】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、
表示手段に前記印刷用画像データに基づいて画像を表示させる手順と、
前記表示された画像上の位置の指定を受けて、前記レイアウト情報に基づいて、前記指定された位置に対応する前記レイアウト画像データの原稿データを特定する手順と、
前記表示手段にさらに前記特定された原稿データに付帯されている色変換情報を表示させる手順を実行させるためのプログラムを記録したコンピュータ読み取り可能な記録媒体。
【請求項１２】
色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、
表示手段に前記印刷用画像データに基づいて画像を表示させる手順と、
前記表示された画像上の位置の指定を受けて、前記レイアウト情報に基づいて、前記指定された位置に対応する前記レイアウト画像データの原稿データを特定する手順と、
前記表示手段にさらに前記特定された原稿データに対する再変換用の色変換情報を含む再変換の指示を入力可能に表示させる手順と、
前記再変換の指示を受けて、前記再変換用の色変換情報に基づいて前記特定された原稿データの色を示す第１の色情報を第２の色情報に再変換する手順を実行させるためのプログラムを記録したコンピュータ読み取り可能な記録媒体。
【発明の詳細な説明】
【技術分野】
【０００１】
本発明は、画像がレイアウトされたレイアウト画像データに対し画像処理を行う画像処理装置、画像処理方法、その手順を実行させるためのプログラム、及び、そのプログラムを記録した記録媒体に関し、特に画像が色を第１の色情報であるＲ（レッド）Ｇ（グリーン）Ｂ（ブルー）で示す原稿データ（以下、写真原稿ＲＧＢデータ）を含むレイアウト画像データに対しＲＧＢを第２の色情報であるＣ（シアン）Ｍ（マゼンタ）Ｙ（イエロー）Ｋ（ブラック）に変換する色変換及びラスターデータ化を含む画像処理を行うものに関する。
【背景技術】
【０００２】
従来、印刷製版業界では、画像の色をＣＭＹＫで示す写真原稿ＣＭＹＫデータを編集に用いていた。その写真原稿ＣＭＹＫデータは、予めポジフィルムなどからドラムスキャナなどを用いて生成していた。すなわち、生成された写真原稿ＣＭＹＫデータをコンピュータに入力するなどして、編集を行うレイアウト部門へ渡し、レイアウト部門においてその写真原稿ＣＭＹＫデータを用いて編集を行っていた。
【０００３】
一方、近年のデジタルカメラの普及や、高性能化及び高画質化により、デジタルカメラにより得られたデジタルデータによる入稿が増加する傾向にある。しかしながら、デジタルカメラのデジタルデータは画像の色をＲＧＢで示す写真原稿ＲＧＢデータであるから、編集に用いるためには写真原稿ＣＭＹＫデータに変換する必要がある。
【０００４】
例えば、従来行われていた写真原稿ＲＧＢデータの入稿から印刷に用いるラスターデータ生成までの手順は、（１）写真原稿ＲＧＢデータを写真原稿ＣＭＹＫデータに変換する、（２）写真原稿ＣＭＹＫデータを用いて編集を行いレイアウト画像データを作成する（レイアウト）、（３）レイアウト画像データをラスターデータ化（ＲＩＰ処理）することにより印刷に用いる印刷用画像データを生成するというように行われていた。このようにはじめに色の変換を行う手順を上流色変換と呼ぶ。
【０００５】
ところが、ＣＭＹＫによる色再現域はＲＧＢによる色再現域より小さいので、写真原稿ＲＧＢデータから写真原稿ＣＭＹＫデータへ色再現域が圧縮されての変換されることになる。したがって、写真原稿ＲＧＢデータから写真原稿ＣＭＹＫデータへの変換は、ＲＧＢ及びＣＭＹＫそれぞれによる色再現領域の違いから、変換後の色が意図した色にならない場合が発生しやすい。また、色再現域が圧縮された写真原稿ＣＭＹＫデータを用いて色調整するより、写真原稿ＲＧＢデータを再度変換したほうが意図する色を得やすい。したがって、印刷用画像データに基づいて印刷を行い、印刷物で色の不具合が発見されると、まず、元の写真原稿ＲＧＢデータを探し、（１）から作業をやり直さなければならず、多大な労力と時間を費やす必要があった。元の写真原稿ＲＧＢデータが手元にない場合（たとえば、消去されていた場合）には、写真原稿ＣＭＹＫデータを用いて色調整することになり期待通りの色にならない場合があった。このように上流変換での色変換の手順では色の再変換は容易ではない。
【０００６】
そこで、写真原稿ＲＧＢデータを用いてレイアウトを行いレイアウト画像データを作成し、レイアウト画像データをＲＩＰ処理するときに色変換を行うようにした方法がある。この場合、レイアウト画像データには写真原稿ＲＧＢデータがレイアウトされているので、その写真原稿ＲＧＢデータに対し色の再変換を行えばよい。また、写真原稿ＲＧＢデータをレイアウトするとともに色変換を示すファイルを添付してレイアウト画像データを作成し、添付されたファイルに基づいて色変換を行ってラスターデータ化する処理装置が提案されている（例えば、特許文献１参照。）。特許文献１に記載の処理装置によれば、添付されたファイルを変更することにより色の再変換を行うことが可能である。
【０００７】
【特許文献１】特開２００４−５８４３８号公報
【発明の開示】
【発明が解決しようとする課題】
【０００８】
しかしながら、特許文献１に記載の処理装置は、レイアウト画像データに対し色変換及びラスターデータ化を行い印刷を行うために、色変換されラスターデータ化された画像データの画像の確認は印刷物で行うしかなかった。すなわち、色変換結果は、印刷して確認するしかなかった。また、ラスターデータ化された印刷用画像データに基づく画像についても印刷物で行うしかなかった。
【０００９】
そこで、印刷用画像データに基づく画像を印刷する前に表示手段等に表示すればよいが、表示される画像は印刷用画像データすなわちラスターデータに基づくものであるから、例えばカーソルを移動させてある位置でクリックしても、単に位置の指示ができるだけであって、その位置の写真原稿ＲＧＢデータを指定することはできない。そのため、写真原稿ＲＧＢデータを扱う場合のように、写真原稿ＲＧＢデータに関する情報の表示を行うことや、色の再変換の指示を行うことは難しい。
【００１０】
本発明は、上記事情に鑑みてなされたものであり、その目的とするところは、写真原稿ＲＧＢデータを用いて作成されたレイアウト画像データを色変換及びＲＩＰ処理して得られる印刷用画像データに基づいて表示される画像から、レイアウト画像データの写真原稿ＲＧＢデータを特定し、写真原稿ＲＧＢデータに関する情報を表示すること、或いは、写真原稿ＲＧＢデータに関し再変換の指示をすることが可能な画像処理装置、画像処理方法、その手順を実行させるためのプログラム、及び、そのプログラムを記録した記録媒体を提供することにある。
【課題を解決するための手段】
【００１１】
上記課題を解決するために請求項１に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする画像処理手段と、表示手段と、前記表示手段に前記印刷用画像データに基づいて画像を表示させる表示制御手段と、前記表示された画像上の位置を指定するための位置指定手段と、前記位置の指定を受けて、前記レイアウト情報に基づいて、前記指定された位置に対応する前記レイアウト画像データの原稿データを特定する画像データ特定手段と、を備え、前記表示制御手段は、さらに前記特定された原稿データに付帯されている色変換情報を表示させることを特徴としている。
【００１２】
また、請求項２に記載の発明は、前記表示制御手段は、前記色変換情報を前記表示された画像上の前記指定された位置の近傍に表示させることを特徴としている。
【００１３】
また、請求項３に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする画像処理手段と、表示手段と、前記表示手段に前記印刷用画像データに基づいて画像を表示させる表示制御手段と、前記表示された画像上の位置を指定するための位置指定手段と、前記位置の指定を受けて、前記レイアウト情報に基づいて、前記指定された位置に対応する前記レイアウト画像データの原稿データを特定する画像データ特定手段と、を備え、前記表示制御手段は、さらに前記特定された原稿データに対する再変換用の色変換情報を含む再変換の指示を入力可能に表示させ、前記画像処理手段は、前記再変換の指示を受けて、前記再変換用の色変換情報に基づいて前記特定された原稿データの色を示す第１の色情報を第２の色情報に再変換することを特徴としている。
【００１４】
また、請求項４に記載の発明は、前記表示制御手段は、前記再変換の指示を前記表示された画像上の前記指定された位置の近傍に表示させることを特徴としている。
【００１５】
また、請求項５に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする画像処理手段と、表示手段と、前記表示手段に前記印刷用画像データに基づいて画像を表示する表示制御手段と、前記表示された画像上の位置を指定するための位置指定手段と、前記位置の指定を受けて、前記レイアウト情報に基づいて、前記指定された位置に対応する前記レイアウト画像データの原稿データを特定する画像データ特定手段と、を備え、前記表示制御手段は、さらに前記特定された原稿データに付帯されている色変換情報を表示させるとともに、前記特定された原稿データに対する再変換用の色変換情報を含む再変換の指示を入力可能に表示させ、前記画像処理手段は、前記再変換の指示を受けて、前記再変換用の色変換情報に基づいて前記特定された原稿データの色を示す第１の色情報を第２の色情報に再変換することを特徴としている。
【００１６】
また、請求項６に記載の発明は、前記表示制御手段は、前記色変換情報及び再変換の指示を前記表示された画像上の前記指定された位置の近傍に入力可能に表示させることを特徴としている。
【００１７】
また、請求項７に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする段階と、表示手段に前記印刷用画像データに基づいて画像を表示させる段階と、前記表示された画像上の位置の指定を受けて、前記レイアウト情報に基づいて、前記指定された位置に対応する前記レイアウト画像データの原稿データを特定する段階と、前記表示手段にさらに前記特定された原稿データに付帯されている色変換情報を表示させる段階とを含むことを特徴としている。
【００１８】
また、請求項８に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとする段階と、表示手段に前記印刷用画像データに基づいて画像を表示させる段階と、前記表示された画像上の位置の指定を受けて、前記レイアウト情報に基づいて、前記指定された位置に対応する前記レイアウト画像データの原稿データを特定する段階と、前記表示手段にさらに前記特定された原稿データに対する再変換用の色変換情報を含む再変換の指示を入力可能に表示させる段階と、
前記再変換の指示を受けて、前記再変換用の色変換情報に基づいて前記特定された原稿データの色を示す第１の色情報を第２の色情報に再変換する段階とを含むことを特徴としている。
【００１９】
また、請求項９に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、表示手段に前記印刷用画像データに基づいて画像を表示させる手順と、前記表示された画像上の位置の指定を受けて、前記レイアウト情報に基づいて、前記指定された位置に対応する前記レイアウト画像データの原稿データを特定する手順と、前記表示手段にさらに前記特定された原稿データに付帯されている色変換情報を表示させる手順を実行させるためのプログラムである。
【００２０】
また、請求項１０に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、表示手段に前記印刷用画像データに基づいて画像を表示させる手順と、前記表示された画像上の位置の指定を受けて、前記レイアウト情報に基づいて、前記指定された位置に対応する前記レイアウト画像データの原稿データを特定する手順と、前記表示手段にさらに前記特定された原稿データに対する再変換用の色変換情報を含む再変換の指示を入力可能に表示させる手順と、前記再変換の指示を受けて、前記再変換用の色変換情報に基づいて前記特定された原稿データの色を示す第１の色情報を第２の色情報に再変換する手順を実行させるためのプログラムである。
【００２１】
また、請求項１１に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、表示手段に前記印刷用画像データに基づいて画像を表示させる手順と、前記表示された画像上の位置の指定を受けて、前記レイアウト情報に基づいて、前記指定された位置に対応する前記レイアウト画像データの原稿データを特定する手順と、前記表示手段にさらに前記特定された原稿データに付帯されている色変換情報を表示させる手順を実行させるためのプログラムを記録したコンピュータ読み取り可能な記録媒体である。
【００２２】
また、請求項１２に記載の発明は、色が第１の色情報で示される原稿データ、前記原稿データに付帯する色変換情報、及び、前記原稿データに基づく画像の配置位置を示すレイアウト情報を含んで構成されるレイアウト画像データを、前記付帯された色変換情報に基づいて前記原稿データの色を示す第１の色情報を第２の色情報に変換するとともに、前記レイアウト画像データをラスターデータ化することにより印刷用画像データとするためのコンピュータに、表示手段に前記印刷用画像データに基づいて画像を表示させる手順と、前記表示された画像上の位置の指定を受けて、前記レイアウト情報に基づいて、前記指定された位置に対応する前記レイアウト画像データの原稿データを特定する手順と、前記表示手段にさらに前記特定された原稿データに対する再変換用の色変換情報を含む再変換の指示を入力可能に表示させる手順と、前記再変換の指示を受けて、前記再変換用の色変換情報に基づいて前記特定された原稿データの色を示す第１の色情報を第２の色情報に再変換する手順を実行させるためのプログラムを記録したコンピュータ読み取り可能な記録媒体である。
【発明の効果】
【００２３】
本発明の画像処理装置、画像処理方法、その手順を実行させるためのプログラム、及び、そのプログラムを記録した記録媒体によれば、写真原稿ＲＧＢデータを用いて作成されたレイアウト画像データを色変換及びＲＩＰ処理して得られる印刷用画像データに基づいて表示される画像上で位置を指定して、その位置情報とレイアウト情報とから元の写真原稿ＲＧＢデータ特定することが可能となる。したがって、印刷用画像データに基づいて表示される画像を用いて、写真原稿ＲＧＢデータに関する情報を表示すること、或いは、写真原稿ＲＧＢデータに関し再変換の指示をすることが可能となる。
【発明を実施するための最良の形態】
【００２４】
以下、本発明に係る画像処理装置の様々な実施形態について、図面を参照しながら詳細に説明する。
【００２５】
＜制御構成＞
本発明にかかる一実施の形態としての画像処理装置について説明する。本実施の形態の画像処理装置は、いわゆるＰＣ（Ｐｅｒｓｏｎａｌ  Ｃｏｍｐｕｔｅｒ）で、コンピュータ本体、キーボードおよびモニタ等を含んで構成される。また、コンピュータ本体には所定のプログラムが組み込まれ、このプログラムを実行して後述の画像処理を行う。
【００２６】
また、本実施の形態の画像処理装置の有する機能について図１を用いて説明する。図１は、第１の実施の形態の画像処理装置の制御構成を説明するための機能ブロック図である。
【００２７】
受付手段２１は、レイアウト画像データを受け付け、画像データ記憶手段２３に送る。画像データ記憶手段２３は、レイアウト画像データを記憶する記憶手段である。また、受付手段２１は、端末装置から送信されるレイアウト画像データをネットワークを介して受信する手段、または、レイアウト画像データが記録された媒体、例えば、ＣＤ−ＲＯＭ（ｃｏｍｐａｃｔ  ｄｉｓｋ−ｒｅａｄ  ｏｎｌｙ  ｍｅｍｏｒｙ）などの記録媒体が着脱可能になされ、装着された記録媒体に書き込まれた本発明の原稿データである写真原稿ＲＧＢデータを読み取る手段等で構成される。また、画像処理装置で動作するアプリケーションソフトを用いて作成されるレイアウト画像データを取得する手段であってもよい。
【００２８】
本実施の形態で扱うレイアウト画像データは、写真原稿ＲＧＢデータを用いて、写真原稿ＲＧＢデータに基づく画像が所望の位置に配置されるように作られたものである。
【００２９】
写真原稿ＲＧＢデータとは、画素をＲＧＢ（第１の色情報）の各光の強度で示し、その強度を階調値として示す。ここで、階調値は、光の強度を０から１００または０から２５５の数値を用いて段階的に示す値である。例えば、黒は（Ｒ０、Ｇ０、Ｂ０）のように示され、白は、階調値０から２５５を用いる場合には（Ｒ２５５、Ｇ２５５、Ｂ２５５）のように示される。
【００３０】
また、図２にレイアウト画像データの構成の一例を示す。図２に示すように、レイアウト画像データは、レイアウト画像データの識別情報（ファイル名など）、写真原稿ＲＧＢデータに基づく画像の配置位置を示すレイアウト情報、写真原稿ＲＧＢデータについての色変換の内容を示す色変換情報、及び、識別情報が付された写真原稿ＲＧＢデータを含んで構成される。また、図３には、レイアウト画像データが示す画像の配置の一例を示す。図３に示すように、レイアウト情報に従って例えば写真原稿ＲＧＢデータに基づく画像が配置される。
【００３１】
また、レイアウト情報は、例えば、写真原稿ＲＧＢデータの左上の角を基準点とし、その基準点が配置される座標位置で示される。また、この基準点の座標位置に限られず、例えば領域を示す情報などであってもよい。
【００３２】
また、色変換情報は、例えば後述のルックアップテーブルを示す名称や番号などの識別情報でよい。また、例えば景色、人物等の画像種類とルックアップテーブルとを関連付けて記憶しておけば画像種類を色変換情報とすることも可能である。また、いわゆるγ補正、シャープネス、コントラスト等の色にかかわる画像処理を示す識別情報であってもよい。
【００３３】
入力手段２０は、各種入力や操作を行うための、キーボード等の入力デバイスや、マウス・トラックボール等のポインティングデバイスから構成されている。そして、各種入力や操作に対応する信号が制御手段２２に出力される。
【００３４】
制御手段２２は、入力手段２０からの入力、または、プログラムに従って画像処理装置の各部の制御を行う。
【００３５】
ＬＵＴ記憶部２６は、ＲＧＢとＣＭＹＫ（第２の色情報）との変換関係を示すＲＧＢ→ＣＭＹＫルックアップテーブルや、ＲＧＢとＬ＊ａ＊ｂ＊表色系の値との関係を示すＲＧＢ→Ｌ＊ａ＊ｂ＊ルックアップテーブル、ＣＭＹＫとＬ＊ａ＊ｂ＊表色系の値との関係を示すＣＭＹＫ→Ｌ＊ａ＊ｂ＊ルックアップテーブルなどのカラープロファイルを格納する。
【００３６】
例えば、ＲＧＢ→ＣＭＹＫルックアップテーブルは、変換関係の異なるものが複数格納されている。また、カラープロファイルも複数格納されており、例えば、モニタの色特性を示すモニタプロファイル、ＲＧＢに対する色再現範囲を示す、例えばｓＲＧＢのようなＲＧＢプロファイル、また、ＣＭＹＫ対する色再現範囲を示す、ＣＭＹＫプロファイルなどがある。これ以外にも、プリンタの色特性を示すプリンタプロファイル、印刷機で出力する色特性を示し、複数の用紙種類ごとの印刷プロファイルなど様々なプロファイルや、色変換特性を示すＬＵＴ（Ｌｏｏｋ  ｕｐ  ｔａｂｌｅ）などのカラープロファイルがある。
【００３７】
色変換手段２４は、レイアウト画像データの写真原稿ＲＧＢデータのＲＧＢを付された色変換情報が示すＬＵＴ記憶部２６に記憶されたルックアップテーブルを用いて画像の色をＣＭＹＫ各色の階調値で示すように変換する。
【００３８】
また、色変換手段２４は、いわゆるγ補正、シャープネス、コントラスト等の色にかかわる画像処理を行う手段としての機能を含んでもよく、色変換情報に基づいて上記の画像処理を行うようにしてもよい。この画像処理は色にかかわるものであるから、画像処理も含んで「変換」という。
【００３９】
ＲＩＰ処理手段３１は、レイアウト画像データをラスターデータ（ビットマップデータ）に変換し、メモリ２８に送る。このラスターデータに変換されたデータを印刷用画像データと呼ぶ。また、ＲＩＰ処理手段３１に網点化処理を行う網点化処理手段としての機能を備え、ラスターデータに変換した後、網点化処理を行うようにしてもよい。
【００４０】
また、色変換手段２４及びＲＩＰ処理手段３１は、制御手段２２により制御されて変換・ＲＩＰ処理を行う。例えば、制御手段２２が、入力手段２０を用いて対象のレイアウト画像データから印刷用画像データを作成する指示を受け、対象のレイアウト画像データを画像データ記憶手段２３から読み出して色変換手段２４に送ることにより、色変換手段２４及びＲＩＰ処理手段３１で色の変換・ＲＩＰ処理を行うように制御する。また、本発明の画像処理手段は、色変換手段２４とＲＩＰ処理手段３１とを含んで構成される。
【００４１】
ここで、レイアウト画像データは、色がＣＭＹＫに変換され、ラスター化されて印刷用画像データとなる。つまり、印刷用画像データは、ＣＭＹＫ各色の階調値により示される画素を配列して示されるラスターデータである。また、本実施の形態では、色の変換、ＲＩＰ処理の順に画像処理を行うが、ＲＩＰ処理、色の変換の順であってもよい。
【００４２】
メモリ２８は、印刷用画像データを一時的に格納する。また、制御手段２２は、表示手段２９にこのメモリ２８に格納された印刷用画像データを画像として表示するように制御する。したがって、制御手段２２は、表示制御手段としての機能を有する。
【００４３】
したがって、表示手段２９には、印刷用画像データに基づく画像が表示されるので、例えば文字化けなどのＲＩＰ処理の不具合などの確認が可能である。
【００４４】
そして、操作者が印刷用画像データに基づく表示手段２９における画像を確認し、入力手段２０を操作することにより印刷の指示を入力すると、制御手段２２は、入力手段２０から印刷の指示を受け、メモリに記憶されている印刷用画像データを図示しない印刷装置に送る。印刷装置では、印刷用画像データに基づいて画像を印刷物として出力する。
【００４５】
また、本実施の形態の画像処理装置は、以下のようにして印刷用画像データに基づく画像上の位置を指定することにより、レイアウト画像データにおけるその位置の写真原稿ＲＧＢデータに付された色変換情報を表示する。
【００４６】
例えば、入力手段２０のマウスを用いて表示された画像上でカーソルを移動させ例えばいわゆる右クリックすることにより、入力手段２０は、その位置を示す信号を位置情報として制御手段２２に送る。すなわち、入力手段２０は、本発明の位置指定手段としての機能を有する。
【００４７】
制御手段２２は、位置情報から画像上の座標を求め、印刷用画像データの元となったレイアウト画像データのレイアウト情報に基づいて、求めた画像上の座標に位置する写真原稿ＲＧＢデータを特定する。すなわち、写真原稿ＲＧＢデータをレイアウト情報に基づいて配置したときに求めた画像上の座標位置にかかるレイアウト画像データの写真原稿ＲＧＢデータを特定する。すなわち、制御手段２２は、本発明の画像データ特定手段としての機能を有する。
【００４８】
このようにして、印刷用画像データに基づく画像上の位置から、レイアウト画像データの写真原稿ＲＧＢデータを特定することが可能となる。
【００４９】
また、制御手段２２は、レイアウト画像データの写真原稿ＲＧＢデータを特定すると、その写真原稿ＲＧＢデータに付されている色変換情報を抽出する抽出手段としての機能を備え、さらに色変換情報を表示するためのメニュー画面を生成し、例えば、マウスにより右クリックされた位置の近傍、例えば特定された写真原稿ＲＧＢデータの画像の位置にメニュー画面の左上を合わせるようにして表示するように表示手段２９を制御する。図４に表示されるメニュー画面の一例を示す。図４にはＡＡＡＲＧＢの画像上にカーソルを位置させて右クリックしたときにカーソル位置を左上としてメニュー画面を表示した例である。
【００５０】
これにより、写真原稿ＲＧＢデータがどのように色変換されて印刷用画像データとして生成されたかを確認できる。また、色の変換の問題を認識することができる。
【００５１】
さらに、色の変換に問題があった場合には、本実施の形態の画像処理装置は、入力手段２０を用いて特定の写真原稿ＣＭＹＫデータの画像について再度の変換の指示を行なうことができる。例えば、制御手段２２は、さらに再変換用の色変換情報を含む色の再変換の指示を入力可能に表示するようにメニュー画面を生成して、そのメニュー画面を表示するように表示手段２９を制御する。
【００５２】
つまり、操作者が表示された画像上でカーソルを移動させ右クリックを行い、表示手段２９にメニュー画面が表示されると、例えば操作者が再変換の指示を選択することにより、再変換指示が行われる。再変換用の色変換情報を含むように再変換の指示は、例えば再変換用の色変換情報を複数表示させて所望の色変換情報を選択することにより行う。また、再変換の指示を選択の後に、再変換用の色変換情報を複数表示させて所望の色変換情報を選択するようにしてもよい。
【００５３】
制御手段２２は、所望の色変換情報による再変換の指示を受けると、レイアウト画像データの特定された写真原稿ＲＧＢデータに付されている色変換情報を再変換用の色変換情報に書き換えを行う色変換情報に書き換え手段としての機能を有する。そして、レイアウト画像データの色変換情報を書き換えて、色変換手段２４に対し、レイアウト画像データの特定された写真原稿ＲＧＢデータの色を再変換するように指示する。
【００５４】
色変換手段２４は、再変換指示を受けて、レイアウト画像データの特定された写真原稿ＲＧＢデータを再変換用の色変換情報が示すＬＵＴ記憶部２６に記憶されたルックアップテーブルを用いて画像の色をＣＭＹＫ各色の階調値で示すように変換し、ＲＩＰ処理手段３１は、ラスターデータに変換する。
【００５５】
制御手段２２は、メモリ２８に記憶されている印刷用画像データの特定された写真原稿ＲＧＢデータ部分を再変換・ＲＩＰ処理されて得られたラスターデータに書き換える印刷用画像データ書き換え手段としての機能を備え、印刷用画像データを書き換える。
【００５６】
また、色変換手段２４及びＲＩＰ処理手段３１において、色変換情報が書き換えられたレイアウト画像データの全体に対して色の変換及びＲＩＰ処理手段３１でＲＩＰ処理を行うようにしてもよい。
【００５７】
上述のようにして、印刷用画像データに基づく画像上で位置が指定された写真原稿ＲＧＢデータに対する色の再変換を行うことができる。
【００５８】
＜画像処理手順＞
次に、本実施の形態の画像処理装置における写真原稿ＲＧＢデータを含んで構成されるレイアウト画像データの画像処理の手順について図５を用いて説明する。図５は、写真原稿ＲＧＢデータを含んで構成されるレイアウト画像データの画像処理の手順について示すフローチャートである。
【００５９】
まず、図５に示すように、受付手段２１がレイアウト画像データを取得し、画像データ記憶手段２３は、取得したレイアウト画像データを記憶する。（ステップＳ１０１。以下、ステップＳ１０１をＳ１０１と省略して記載する。また、他のステップも同様に省略して記載する。）。
【００６０】
そして、操作者による対象のレイアウト画像データから印刷用画像データを作成する指示が入力手段２０を用いて入力されると（Ｓ１０２、Ｙ）、制御手段２２が、対象のレイアウト画像データを画像データ記憶手段２３から読み出して色変換手段２４に送ることにより、色変換手段２４及びＲＩＰ処理手段３１にそれぞれ色の変換・ＲＩＰ処理を行うように制御する。色変換手段２４は、付された色変換情報が示すＬＵＴ記憶部２６に記憶されたルックアップテーブルを用いて写真原稿ＲＧＢデータのＲＧＢをＣＭＹＫに変換し、ＲＩＰ処理手段３１は、レイアウト画像データをラスターデータ（ビットマップデータ）に変換することにより、レイアウト画像データから印刷用画像データを作成する。そして、メモリ２８は印刷用画像データを格納する（Ｓ１０３）。さらに、制御手段２２は、表示手段２９にこのメモリ２８に格納された印刷用画像データを画像として表示させる（Ｓ１０４）。
【００６１】
ここで、処理を終了する入力がなされると（Ｓ１０５、Ｙ）、制御手段２２は、印刷用画像データに基づく画像の表示を終了する。このとき、制御手段２２が表示手段２９に作成した印刷用画像データを保存するか否かを選択可能に表示させることにより、保存するが選択された場合は、制御手段２２が作成された印刷用画像データを画像データ記憶手段２３に記憶するように制御してもよい。
【００６２】
また、入力手段２０を用いて印刷の指示が入力されると（Ｓ１０６、Ｙ）、印刷用画像データを印刷装置に送る（Ｓ１０７）（Ｓ１０５へ遷移）。そして、印刷装置で、印刷用画像データに基づいて画像が印刷される。
【００６３】
また、操作者が入力手段２０のマウスを用いて表示された画像上でカーソルを移動させ例えばいわゆる右クリックすることにより表示手段２９に表示された画像上の位置の指定を行うと、入力手段２０は、その位置を示す信号を位置情報として制御手段２２に送る（Ｓ１０８、Ｙ）。
【００６４】
制御手段２２は、位置情報から画像上の座標を求め、印刷用画像データの元のレイアウト画像データのレイアウト情報に基づいて、求めた画像上の座標に位置する写真原稿ＲＧＢデータを特定する（Ｓ１０９）。さらに、制御手段２２は、特定した写真原稿ＲＧＢデータに付されている色変換情報を表示するとともに色の再変換の指示を入力可能に表示するようにメニュー画面を生成して、表示手段２９に表示させる。色の再変換の指示は、メニュー画面に複数の色変換情報を選択可能に表示させ、操作者がいずれかの色変換情報を選択することにより入力されるものとする。
【００６５】
ここで、再度クリックを行うことで位置の指定を終了すると（Ｓ１１２、Ｙ）、制御手段２２は、メニュー画面の表示を終了させ（Ｓ１１３）、Ｓ１０５に遷移する。
【００６６】
また、操作者がいずれかの色変換情報を選択し、再変換の指示が行われると（Ｓ１１１、Ｙ）、制御手段２２は、メニュー画面の表示を終了させ（Ｓ１１４）、制御手段２２は、レイアウト画像データの色変換情報を書き換えて、色変換手段２４に対し、レイアウト画像データの特定された写真原稿ＲＧＢデータの色を再変換するように指示する。再変換指示を受けて、色変換手段２４は、レイアウト画像データの特定された写真原稿ＲＧＢデータを再変換用の色変換情報が示すＬＵＴ記憶部２６に記憶されたルックアップテーブルを用いて画像の色をＣＭＹＫ各色の階調値で示すように変換し、ＲＩＰ処理手段３１は、ラスターデータに変換する（Ｓ１１５）。
【００６７】
制御手段２２は、メモリ２８に記憶されている印刷用画像データの特定された写真原稿ＲＧＢデータ部分をＳ１１５で再変換・ＲＩＰ処理されて得られたラスターデータに書き換える（Ｓ１１６）。そして、Ｓ１０４に戻り、制御手段２２は、表示手段２９に書き換えられた印刷用画像データを画像として表示させる。
【００６８】
この印刷用画像データでよければ、入力手段２０を用いて印刷の指示が入力され（Ｓ１０６、Ｙ）、印刷用画像データが印刷装置に送られ（Ｓ１０７）、印刷が行われる。
【００６９】
上述のようにして、写真原稿ＲＧＢデータのレイアウト情報、色変換情報、及び、写真原稿ＲＧＢデータを含んで構成されるレイアウト画像データに対し、色の変換・ＲＩＰ処理を行うことにより印刷用画像データを作成して、印刷用画像データを用いて印刷を行うときに、印刷用画像データに基づく画像を表示させて、その印刷用画像データに基づく画像上の位置を指定することにより、レイアウト画像データの写真原稿ＲＧＢデータを特定することができる。これにより、印刷用画像データに基づく画像上にレイアウト画像データの写真原稿ＲＧＢデータの色変換情報を表示することや、写真原稿ＲＧＢデータに対する色の再変換の指示を行うことができる。
【００７０】
［プログラム及びこれを記憶する記憶媒体］
尚、当該画像処理装置において行われる処理、具体的には、図５に示すフローチャートに示した手順を実行させるためのプログラムは、内蔵、若しくは、接続される記録媒体に記録されており、画像処理装置を構成するコンピュータにより、これが読み出されて実行されるものとする。
【００７１】
上述した記録媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【図面の簡単な説明】
【００７２】
【図１】第１の実施の形態に係る画像処理装置の制御構成を表す機能ブロック図である。
【図２】本実施の形態のレイアウト画像データの構成を示す図である。
【図３】レイアウト画像データに基づく画像を示す図である。
【図４】表示手段に表示されるメニュー画面の一例を示す図である。
【図５】本実施の形態の画像処理装置における画像処理の手順の一例を示すフローチャートである。
【符号の説明】
【００７３】
２０  入力手段
２１  受付手段
２２  制御手段
２３  画像データ記憶手段
２４  色変換手段
２６  ＬＵＴ記憶部
２８  メモリ
２９  表示手段
３１  ＲＩＰ処理手段
【図１】
2007251877.tif 000003
【図２】
2007251877.tif 000004
【図３】
2007251877.tif 000005
【図４】
2007251877.tif 000006
【図５】
2007251877.tif 000007